(57)【特許請求の範囲】
【請求項１】
長尺板状の連結バーと、
該連結バーの長尺方向に沿った片側縁から突出状に並成され、先端に端子との接続機構を有する複数の板状接続脚とが一体的に形成された導電板片によって構成されるものであって、
一列に配置された複数の端子に各接続脚を接続することによって端子間を短絡する短絡板において、
連結バーの長尺方向に沿った片側縁に二本の接続脚が形成されており、
各接続脚は、連結バーの片側縁から連結バーの板面に沿った方向に延成される基部と、該基部の先端から屈曲部を介して連結バーの板面と交差する方向へ突出する突出部とからなるものであり、
各接続脚の突出部は、平行状に突出すると共に、夫々の長さが異なっていることを特徴とする短絡板。
【請求項２】
長尺板状の連結バーと、
該連結バーの長尺方向に沿った片側縁から突出状に並成され、先端に端子との接続機構を有する複数の板状接続脚とが一体的に形成された導電板片によって構成されるものであって、
一列に配置された複数の端子に各接続脚を接続することによって端子間を短絡する短絡板において、
連結バーの長尺方向に沿った片側縁に三本以上の接続脚が形成されており、
各接続脚は、連結バーの片側縁から連結バーの板面に沿った方向に延成される基部と、該基部の先端から屈曲部を介して連結バーの板面と交差する方向へ突出する突出部とからなるものであり、
各接続脚の突出部は、平行状に突出すると共に、夫々の長さが異なっており、且つ夫々の先端が一直線上に配置されていることを特徴とする短絡板。
【請求項３】
各接続脚の前記屈曲部は、略直角に屈曲していることを特徴とする請求項１又は請求項２に記載の短絡板。
【発明の詳細な説明】
【技術分野】
【０００１】
本発明は、ブレーカや端子台等の機器の一列に配置される端子と選択的に接続し、接続した端子相互を短絡する短絡板に関する。
【背景技術】
【０００２】
従来、一般的な配電盤では、端子台やブレーカ等の機器が各種の端子を一列に並べるようにして配置されている。そして、この一列に配置される端子に対して選択的に接続して端子相互を短絡させる短絡板がよく知られている。図８（ａ）に、最も一般的な短絡板ａを示す。この短絡板ａは、長尺な連結バーｂと、該連結バーｂの長尺方向に沿った片側縁から突出状に並成された複数の接続脚ｃとが一体的に形成されてなる導電板片からなる。各接続脚ｃは、連結バーｂの長尺方向と直交する方向に突出しており、それぞれ等しい長さを有している。そして、各接続脚ｃの先端には、螺子貫通孔ｄなどの端子との接続機構が設けられており、各接続脚ｃの先端を端子に接続すると導電板片を介して端子間が短絡されることとなる。
【０００３】
また、従来の短絡板には、図８（ｂ），８（ｃ）に示すように、接続脚の途中に所定角度の屈曲部ｅが設けられたものがある。この短絡板ａ’は、図９に示すように、平坦な接続脚ｃを有する短絡板ａと併用することによって、夫々の連結バーｂを干渉させることなく交差させて比較的複雑な配線を実現している。
【０００４】
上記構成の短絡板ａ，ａ’は、一枚の金属板から製造可能であり、形状も簡単であるため極めて安価である。しかしながら、上記短絡板ａ，ａ’にあっては、複雑な配線を行う際に、二種類の短絡板ａ，ａ’を用意しなければならず、配線作業も面倒であった。また、上記二種類の短絡板ａ，ａ’だけでは、配線パターンに限界もある。例えば、特許文献１に見られるように、三相式の配電盤では、三相（Ｒ相，Ｓ相，Ｔ相）の電源の入力端子を有するブレーカが全入力端子を一列に並べるようにして配置されており、これらのブレーカの各端子に対して各相の電源を分配する配線が必要となるが、このような場合には、各ブレーカの同種の入力端子間を短絡板で短絡させておき、そこに各相の電源を接続するといった配線がとられる。このような場合に、上記構成の短絡板ａ，ａ’のみでは、図９に示す配置によって、二つのブレーカの、同種の入力端子間を短絡できるものの、短絡板ａ，ａ’が相互に干渉してしまうため、これらの配線を端子の配列方向に連ねることができないのである。このために、従来では、三相電源の分岐等の複雑な配線を行う際には、様々な形状の短絡板を組み合わせるか、若しくは、複雑な形状の短絡板を用いなければならず、複雑な配線を低コストで簡単に行い得る短絡板が求められている。
【０００５】
【特許文献１】実開平４−７６１０７号公報  第４図
【発明の開示】
【発明が解決しようとする課題】
【０００６】
本発明は、かかる現状に鑑みてなされたものであり、一列に配置された端子間を短絡する短絡板であって、三相電源の分岐等の複雑な配線を、低コストで、簡単に行い得る短絡板の提供を目的とする。
【課題を解決するための手段】
【０００７】
本発明は、長尺板状の連結バーと、該連結バーの長尺方向に沿った片側縁から突出状に並成され、先端に端子との接続機構を有する複数の板状接続脚とが一体的に形成された導電板片によって構成されるものであって、一列に配置された複数の端子に各接続脚を接続することによって端子間を短絡する短絡板において、各接続脚は、連結バーの片側縁から連結バーの板面に沿った方向に延成される基部と、該基部の先端から屈曲部を介して連結バーの板面と交差する方向へ突出する突出部とからなるものであり、各接続脚の突出部は、平行状に突出すると共に、夫々の長さが異なっていることを特徴とする短絡板である。
【０００８】
かかる短絡板は、従来の短絡板と同様に一列に、各接続脚の先端を端子に接続させるのであるが、各接続脚の突出部の長さが異なるため、各接続脚を端子に接続した際に、連結バーの長尺方向が端子の配列方向に対して傾くこととなる。このため、本発明の短絡板は、端子の配列方向にずらして配置した時に、夫々の連結バーを相互に接触させることなく配置できる（図４参照）。また、本発明の短絡板は、突出部の長さの異なる接続脚を重ねるようにすれば、夫々の連結バーを干渉させることなく端子の配列方向に連ねることができる（図６参照）。したがって、本発明によれば、三相電源を多数のブレーカに分岐させるような複雑な配線を、同形状の短絡板を端子の配列方向に沿って配置することによって実現可能となる。
【０００９】
また、本発明の短絡板は、連結バーの片側縁の両端部に一本ずつ接続脚が設けられた構成に限らず、三本以上の接続脚が並成されるものにも適用できる。ただし三本以上の接続脚を設ける場合には、各接続脚の先端が一直線上に配置されるように突出部の長さを設定し、全ての接続脚が端子と接続し得るようにすることが必要となる。すなわち、本発明の別の短絡板は、連結バーの長尺方向に沿った片側縁に三本以上の接続脚が形成されており、各接続脚は、連結バーの片側縁から連結バーの板面に沿った方向に延成される基部と、該基部の先端から屈曲部を介して連結バーの板面と交差する方向へ突出する突出部とからなるものであり、各接続脚の突出部は、平行状に突出すると共に、夫々の長さが異なっており、且つ夫々の先端が一直線上に配置されていることを特徴とする短絡板である。
【００１０】
また、各接続脚の前記屈曲部は略直角に屈曲していることが望ましい。屈曲部の屈曲角度が鈍角であると短絡板が嵩張り易く、屈曲角が鋭角であると、接続時に短絡板同士が衝突し易いためである。
【発明の効果】
【００１１】
以上に述べたように、本発明は、二本の接続脚を、連結バーの片側縁から連結バーの板面に沿った方向に延成される基部と、該基部の先端から屈曲部を介して連結バーの板面と交差する方向へ突出する突出部とで構成すると共に、各接続脚の突出部を、平行状に突出させ、夫々の突出部の長さが異なるようにした短絡板であるから、同形状の短絡板を端子の配列方向にずらして配置すると共に、長さの異なる接続脚の突出部を重ねて端子の配列方向に連ねることによって、三相電源を多数のブレーカに分岐させるような複雑な配線を適切に実現できる。特に、本発明の短絡板は、同一形状のものを端子の配列方向に配置することによって、三相式ブレーカの同種の端子間を適切に短絡できるといった利点がある。また、短絡板が相互に干渉し難いため、その他の複雑な配線も、従来より少ない種類の短絡板によって実現できる。一方で、本発明の短絡板は一枚の導電板片によって構成可能であり、図８に示した従来の短絡板ａ’と同程度のコストで製造できる。したがって、本発明の短絡板を用いれば、複雑な配線を低コストで行うことができると共に、配線作業も簡単に行うことができる。
【００１２】
また、連結バーの長尺方向に沿った片側縁に接続脚が三本以上並成された構成にあっては、上構成に加えて、各接続脚の突出部の先端を一直線上に配置するようにすれば、各接続脚を端子に適切に接続することができる。
【００１３】
さらに、上記構成にあって、各接続脚の前記屈曲部を略直角に屈曲させた場合には、短絡板を複数配置した際に夫々の連結バーが密集して邪魔になり難く、また、短絡板を端子に接続する際に連結バーが配線作業の邪魔になり難い。
【発明を実施するための最良の形態】
【００１４】
本発明の実施形態を、以下の実施例に従って説明する。
【００１５】
図１は、本発明の一実施例の短絡板１を示す。この短絡板１は、長尺板状の連結バー２と、該連結バー２の長尺方向に沿った片側縁から突出状に並成され、先端に端子との接続機構を有する二本の板状接続脚３ａ，３ｂとが一体的に形成された導電板片によってなるものであり、一列に配置された機器の端子に各接続脚３ａ，３ｂの先端を接続することによって該端子間を電気的に短絡する。接続脚３ａ，３ｂの先端には、螺子止め式の端子に接続するための螺子貫通孔６が形成されており、これが端子との接続機構を構成する。この接続機構は機器の端子形状に合わせて変更可能である。
【００１６】
図１に示すように、連結バー２は略長尺矩形状をなしており、その長尺方向に沿った片側縁の両端部から板状の接続脚３ａ，３ｂが突成される。この連結バー２の長さによって、その両端に形成される接続脚３ａ，３ｂの間隔が決定される。また、この連結バー２及び接続脚３ａ，３ｂの基端側部分は絶縁性樹脂によるコーティング７が設けられている。
【００１７】
各接続脚３ａ，３ｂは、図１に示すように、連結バー２の片側縁から連結バー２の板面に沿った方向に延成される基部４ａ，４ｂと、該基部４ａ，４ｂの先端から屈曲部８ａ，８ｂを介して連結バー２の板面と交差する方向へ突出する突出部５ａ，５ｂとからなる。
【００１８】
接続脚３ａ，３ｂの各基部４ａ，４ｂは、連結バー２の板面に沿って、且つ、連結バー２の長尺方向と直交する方向に延成される。そして、各基部４ａ，４ｂの間には、他の短絡板の接続脚を通過させる逃げ代９が形成される。各基部４ａ，４ｂは、逃げ代９が他の短絡板の接続脚を通過させ得る程度延出していればよい。
【００１９】
接続脚３ａ，３ｂの各屈曲部８ａ，８ｂは、図１，２に示すように、略直角に屈曲しており、各接続脚３ａ，３ｂの突出部５ａ，５ｂの板面は、連結バー２の板面と略垂直になっている。
【００２０】
各接続脚３ａ，３ｂの突出部５ａ，５ｂは、屈曲部８ａ，８ｂから同一方向に平行状に突出している。また、各突出部５ａ，５ｂの板面は略同一面上に配置される。そして、各突出部５ａ，５ｂは夫々の長さ、すなわち屈曲部８ａ，８ｂから先端までの長さが異なっている。なお、本実施例では、図２中左側の突出部５ａの長さは、突出部５ｂの長さの半分程度となっているが、二つの突出部５ａ，５ｂの長さの比率は特に限定されるものではない。ただし、各突出部５ａ，５ｂの長さは、図２に示すように、各接続脚３ａ，３ｂの突出部５ａ，５ｂの先端が、突出部５ａ，５ｂの突出方向と直交する直線上に配置されるように設定することが望ましい。短絡板１を端子に接続した際に、突出部５ａ，５ｂの突出方向と端子の配列方向が直交するためである。
【００２１】
本実施例の短絡板１によれば、図２に示すように、突出部５ａ，５ｂと垂直な方向から見た場合に、各突出部５ａ，５ｂの先端を結ぶライン（図２中のα）と、連結バー２の長尺方向（図２中のβ）が傾くこととなり、短絡板１を突出部５ａ，５ｂの先端ラインに沿って並べた時に、夫々の連結バー２が間隔をおいて配置されることとなる。
【００２２】
なお、本実施例の短絡板１は、導電板片を所定形状に打ち抜いた後で、プレス加工によって接続脚に屈曲部を形成し、さらに、絶縁コーティングを行うことによって製造できる。具体的な製造方法は、従来の短絡板ａ’（図８参照）と殆ど同じであるため、詳細な説明は省略する。
【００２３】
図３は、実施例の短絡板１によって二つのブレーカ２０の各端子間２１ａ，２１ｂ，２１ｃを短絡した状態を示す。ここで、ブレーカ２０は三相式のものであり、図３中の上側に三相（Ｒ相，Ｓ相，Ｔ相）の電源を入力するための螺子止め式の端子２１ａ〜２１ｃが一列に設けられている。二つのブレーカ２０は夫々の入力端子２１ａ〜２１ｃが一列に並ぶように配置される。
【００２４】
各ブレーカ２０の同種類の端子２１ａ〜２１ｃは、図３に示すように、同形状の三つの短絡板１によって相互に短絡される。各短絡板１は、接続脚３ａ，３ｂの先端をブレーカ２０側に向けるようにして各端子２１ａ〜２１ｃに螺子止めされている。かかる状態では、図４に示すように、各短絡板１の接続脚３ａ，３ｂの先端ラインが端子２１ａ〜２１ｃの配列方向と一致することとなり、各短絡板１の連結バー２が間隔をおいて重なると共に、夫々の短絡板１の接続脚３ｂは他の短絡板１の逃げ代９を通過するように配置されるため、短絡板１は相互に接触しない。
【００２５】
図５は、図３と同じブレーカ２０を四つ一列に配置し、同種類の端子間２１ａ〜２１ｃを短絡板１で短絡した状態を示す。各ブレーカ２０の同種類の端子２１ａ〜２１ｃは、一側の突出部５ｂの上に他側の突出部５ａを重ねるようにして端子の配列方向に連なった三つの短絡板１によって相互に短絡される。かかる状態にあっては、図６に示すように、突出部５ａ，５ｂを重ねた部分において、各短絡板１の連結バー２が間隔をおいて重なるため、連結バー２が相互に干渉することがない。
【００２６】
なお、短絡板１を図５に示す配置で接続する場合には、図５中の左側、すなわち、突出部５ａの短い側から順番に短絡板１をブレーカ２０の端子２１に接続させていけばよい。そのようにすれば、短絡板１相互を干渉させることなく、容易に配線作業を行うことができる。
【００２７】
このように、本実施例の短絡板１は、端子２１ａ〜２１ｃの配列方向に沿って配置することで、隣接する三相式ブレーカ２０の各端子間２１ａ〜２１ｃを適切に短絡することができる（図３参照）。また、長さの異なる両端の突出部５ａ，５ｂを重ねて、短絡板１を端子２１ａ〜２１ｃの配列方向に連ねることで、複数の三相式ブレーカ２０の、同種類の端子２１ａ〜２１ｃ間を一度に短絡することができる（図５参照）。そして、図５のようにブレーカ２０の各端子２１ａ〜２１ｃ間を短絡できれば、各相の電源を各種類の短絡板１に接続するだけで、各相の電源を全てのブレーカ２０に分配することができる。
【００２８】
特に、本実施例の短絡板１は、三相電源の分岐といった複雑な配線を同一形状の短絡板１のみによって実現できるため、配線に用いる部品の種類を低減可能であり、配線にかかるコストを削減できると共に、配線作業を単純化することができる。なお、実施例の短絡板１の製造コストは、図８に示す短絡板ａ’と同程度に抑えることが可能である。また、端子の配列方向に沿って短絡板１を接続した際に、連結バー２は密集配置されるため、嵩張ることもない。さらに言えば、本実施例の短絡板１は、所要の順番で端子に接続していけば、接続済みの短絡板１と干渉することなく短絡板１を接続していくことができる。
【００２９】
以上のように、本実施例の短絡板１を用いた配線を、三相式ブレーカ２０の各端子２１ａ〜２１ｃを短絡する配線を例にして説明したが、本実施例の短絡板１は、三相式のブレーカに限らず、端子台などの端子間の短絡にも用いることができる。なお、上記三相式ブレーカ２０の場合は三種類の端子２１ａ〜２１ｃの夫々を短絡するものであったが、接続脚の間隔を拡げれば、本実施例の短絡板によって、四種以上の端子の夫々を短絡することもできる。また、上記三相式ブレーカ２０の配線例では、同形状の短絡板１のみを用いて配線を行っているが、接続脚３ａ，３ｃの間隔の異なる複数の短絡板１を組み合わせて用いれば、さらに複雑な配線を従来より種類の少ない短絡板によって実現できる。なお、図５で示した配線態様では、連結バー２が図５中の手前側に突出するよう短絡板１を配置しているが、実施例の短絡板１は、連結バー２が図５中の奥側に突出するように配置することもできる。
【００３０】
図７は、上記実施例の構成に一部変更を加えた変形例の短絡板１’を示すものである。本変形例の短絡板１’では、連結バー２の長尺方向に沿った片側縁に三本の接続脚３ａ〜３ｃが形成される。具体的には、上記実施例の短絡板１では、連結バー２の長尺方向に沿った片側縁の両端部にのみ接続脚３ａ，３ｂが形成されていたが、本実施例では、両端部の接続脚３ａ，３ｂに加えて中間部にも接続脚３ｃが形成されている。この接続脚３ｃは、両端の接続脚３ａ，３ｂと同様に、連結バー２から延成される基部４ｃと、基部４ｃの先端から屈曲部８ｃを介して突出する突出部５ｃとからなる。突出部５ｃは、両端の接続脚３ａ，３ｂの突出部５ａ，５ｂと同一方向に平行状に突出している。突出部５ｃの長さは、その先端が、他の突出部５ａ，５ｂの先端と一直線上に配置される長さに設定されている。この短絡板１’は、両端の接続脚３ａ，３ｂと共に中間の接続脚３ｃを端子と接続することで三つの端子を同時に短絡可能であり、また、上記実施例の短絡板１と同様にして、端子の配列方向に配置することで三相電源の分岐等の複雑な配線を行うことができる。
【００３１】
尚、本発明の短絡板は、上述した実施の形態に限定されるものではなく、本発明の要旨を逸脱しない範囲内において種々変更を加え得ることは勿論である。例えば、実施例の短絡板では、連結バーや接続脚が長尺な当幅矩形板状をなしているが、これらは、等幅でなくてもよいし、矩形である必要もない。また、連結バーや接続部の突出部は、上記実施例では平坦であるがこれらを屈曲させることも可能である。
【図面の簡単な説明】
【００３２】
【図１】本発明に係る短絡板１の斜視図である。
【図２】突出部５ａ，５ｂと垂直な方向から見た短絡板１の一側面図である。
【図３】二つのブレーカ２０に短絡板１を接続した状態を示す説明図である。
【図４】図３における短絡板１の配置態様を示す斜視図である。
【図５】四つのブレーカ２０に短絡板１を接続した状態を示す説明図である。
【図６】図５における短絡板１の配置態様を示す斜視図である。
【図７】変形例の短絡板１’の斜視図である。
【図８】従来の短絡板ａ，ａ’の斜視図である。
【図９】従来の短絡板ａ，ａ’の一配置態様を示す斜視図である。
【符号の説明】
【００３３】
１，１’  短絡板
２  連結バー
３ａ，３ｂ，３ｃ  接続脚
４  基部
５ａ，５ｂ，５ｃ  突出部
６  螺子貫通孔
７  被覆
８ａ，８ｂ  屈曲部
９  逃げ代
２０  ブレーカ
２１  端子
【図１】
0004751726.tif 000002
【図２】
0004751726.tif 000003
【図３】
0004751726.tif 000004
【図４】
0004751726.tif 000005
【図５】
0004751726.tif 000006
【図６】
0004751726.tif 000007
【図７】
0004751726.tif 000008
【図８】
0004751726.tif 000009
【図９】
0004751726.tif 000010